(57)【特許請求の範囲】
【請求項１】
上面を形成する平板状の天板と、上方に開口する箱状の箱部材の互いの周縁部同士が結合してそれらの内部に空間が形成されると共に、前記箱部材の下面の四隅部を支持脚の支持面に支持されることにより基礎床面上の所定の高さ位置に配置されるフリーアクセスフロアに用いられるフロアパネルにおいて、
前記箱部材は、その下面を形成する底板部と、前記底板部の周縁部から上方に向かって伸びる側板部を有し、
前記箱部材の前記下面の四隅部に、前記下面の他の部分より前記天板と反対側に突出する平面形状が概略四辺形状の突出部が一体的に形成され、
前記突出部における、前記支持脚の前記支持面の内側に配置される隅部と、前記隅部に隣接する２つの隣接辺部は、前記箱部材の前記側板部を前記天板と反対側に延長して、前記側板部の外側面が前記箱部材の高さ方向に連続するように形成され、
前記隅部と２つの前記隣接辺部のそれぞれと前記箱部材の高さ方向に連続する前記側板部の外側面は、それ以外の前記側板部の外側面よりも前記箱部材の平面方向内側に引っ込んだ位置に形成された
ことを特徴とするフロアパネル。
【請求項２】
前記突出部の突出先端面は、前記箱部材の下面の突出部以外の部分に対して略平行になるよう形成されたことを特徴とする請求項１に記載のフロアパネル。
【請求項３】
前記突出部の概略四辺形状の四隅部のうちの２つの隅部が、前記箱部材の下面の対角線上に配置されるよう形成されたことを特徴とする請求項１又は２に記載のフロアパネル。
【請求項４】
前記天板と、前記箱部材の前記底板部の前記突出部以外の部分との間に補強部材を挟んで設けたことを特徴とする請求項１から３のいずれかに記載のフロアパネル。
【発明の詳細な説明】
【技術分野】
【０００１】
本発明は、フリーアクセスフロア構造に用いられるフロアパネルに関するものである。
【背景技術】
【０００２】
フリーアクセスフロア構造に用いられるフロアパネルは、建築構造物の一部を構成するコンクリート材により形成された基礎床面の上方に、空間を隔てて設けられたフリーアクセスフロアパネルに用いられるものである。
【０００３】
このようなフロアパネルとしては、従来は特許文献１に示すようなものがあった。
また、別の従来のフロアパネルとしては、図９から図１４に示すような、支持脚４と共にフリーアクセスフロア構造１を構成するフロアパネル２があった。
【０００４】
図９に示す従来のフロアパネル２は、コンクリート材により形成された基礎床面３上に立設された支持脚４により、複数のパネルそれぞれの四隅部の１つずつが１箇所に寄せ集めて突き合わされた、複数のパネルの各隅部が下側から支持されるようになっていた。
【０００５】
そしてフロアパネル２は、基礎床面３から上方に空間を隔てた水平面上に、上から見て縦横二軸両方向に整列して、互いに隣合うように複数配置されていると共に、その支持脚４への着脱が可能となっていた。
【０００６】
この従来のフロアパネル２は、図１１にその上面図、図１２にその下面図、図１３にその側面図が描かれており、それらの図に示すように、天板６と、底板８により構成されていた。これらの天板６と底板８は共に鋼板材を用いて形成されていた。
【０００７】
フロアパネル２の天板６は、図１１に示すように、略正方形の平板状に形成されており、その四隅部は、その平面形状が円形を４分割したような円弧状のテーパ部６ｂと、円弧状の段差部６ａが形成されるようになっていた。
【０００８】
すなわち天板６は、その上面６ｃの隅部を、図１４に示すように、図中左下方に向かって傾斜するテーパ部６ｂが形成されていると共に、このテーパ部６ｂの先端部に上面６ｃと平行でかつ段差を有する段差部６ａが形成されていた。これらのテーパ部６ｂと段差部６ａは、プレス加工により同時に成形することができる。
【０００９】
フロアパネル２の底板８は、図１３に示すように、その底板部８ａの周縁部を図中上方に向かって略垂直に折り曲げることにより側板部８ｂが形成されており、この側板部８ｂの上端部を図中水平方向外側に向かって略垂直に折り曲げることにより、フランジ部８ｃが形成されていた。
【００１０】
したがって、フロアパネル２の底板８は、その上方のフランジ部８ｃの内側に開口した内部空間を有する箱状に形成されていた。これらの側板部８ｂとフランジ部８ｃは、プレス加工により同時に成形することができる。
【００１１】
図１４に示すように、底板８の上方のフランジ部８ｃは、天板６の下面６ｄの周縁部６ｅに当接し、これらの当接部分は溶接やカシメ等により接合されるようになっていた。このため、フロアパネル２は、図１３，１４に示すように、天板６と、底板８の底板部８ａと側板部８ｂによりその内部に形成された、内部空間１０を有する中空状に形成されていた。
【００１２】
そして、フロアパネル２の内部空間１０には、所定の厚さを有する平板状の補強部材１２が、天板６と、底板８の底板部８ａの間に挟まれて配置されていた。この補強部材１２には、木材を小さな木片に砕いて乾燥させ、接着材を加えて高温高圧の下で成形したパーティクルボードが用いられていた。
【００１３】
そして、補強部材１２の厚さ方向（図１４中上下方向）の両端面は、天板６の下面６ｄと底板８の上面それぞれとの間に、接着剤を介して接着により固定されていた。また、補強部材１２は、加工を容易にするためにその平面方向の寸法精度は低くすることができるので、フロアパネル２は、図１４に示すように、補強部材１２の側面と底板８の側板部８ｂとの間に隙間Ｓが形成されるようになっていた。
【００１４】
このようなフロアパネル２を支持する支持脚４は、図１０に示すように、パネル調整台１４と、脚部１６により構成されていた。
【００１５】
支持脚４のパネル調整台１４は、その軸線部下端側にネジ孔１４ｆが形成されており、このネジ孔１４ｆに、支持脚４の脚部１６の外周部に形成されたオネジ部１６ａをネジ結合した状態で、ネジに沿って両者を相対回転させることにより、パネル調整台１４の基礎床面３からの高さ位置を調整することができるようになっていた。
【００１６】
そして、パネル調整台１４の下端部に形成された、軸線がその半径方向に伸びるようなネジ孔１４ｅに、固定ネジ部材１５を脚部１６の周部に向かって進むように締め付けることにより、パネル調整台１４は基礎床面３から所望の高さ位置に固定されるようになっていた。
【００１７】
支持脚４のパネル調整台１４は、その支持面１４ａ上にフロアパネル２の底面８ｄの四隅部が載置されて、この底面８ｄの四隅部を介してフロアパネル２にその上方から加えられた荷重を支持するようになっていた。
【００１８】
そして、フロアパネル２は、支持脚４のパネル調整台１４上端部に凹んで形成された先端凹部１４ｂに、その段差部６ａが弾性材などを介して載置されるようになっていた。
【００１９】
そして、固定皿ボルト１７のオネジ部１７ｂを、パネル調整台１４軸線部上端側のネジ孔１４ｄに締め付けて、フロアパネル２の段差部６ａが皿頭部１７ａにより押え付けられて固定されることにより、隣り合う複数の段差部６ａを１箇所に寄せ集めて突き合わせるように配置された複数のフロアパネル２が、１つの同じパネル調整台１４の先端凹部１４ｂに共に固定されるようになっていた。
【００２０】
このような従来のフロアパネル２によれば、その内部空間１０内に配置された補強部材１２を厚くすることによりその強度を向上させることができるため、フロアパネル２が所望の強度を確保することができるようにはなっていた。
【先行技術文献】
【特許文献】
【００２１】
【特許文献１】特開２００９−１４４３７８号公報
【発明の概要】
【発明が解決しようとする課題】
【００２２】
しかしながら、上記従来のフロアパネル２においては、その天板６や底板８の板厚にもよるが、その上方から大きな荷重が加えられた際に、その底板８の底板部８ａの隅部がパネル調整台１４の支持面１４ａの上方に向かって作用する支持反力により変形するおそれがあるという面があった。
【００２３】
このようなフロアパネル２の変形を防止するために、内部空間１０内に補強部材１２を入れて天板６と底板８の間に挟んで設けるとしても、この補強部材１２の厚さが大きくなるとその分コストが高くなると共に、重量が重くなるため、フロアパネル２の重量化や高コスト化を招くという問題があった。
【００２４】
そこで本発明は、上記問題点に鑑みて、その変形を防止することができると共に、その重量化や高コスト化を防止することができるフロアパネルを提供することを課題とするものである。
【課題を解決するための手段】
【００２５】
上記課題を解決するために、本発明によるフロアパネルは、
上面を形成する平板状の天板と、上方に開口する箱状の箱部材の互いの周縁部同士が結合してそれらの内部に空間が形成されると共に、前記箱部材の下面の四隅部を支持脚の支持面に支持されることにより基礎床面上の所定の高さ位置に配置されるフリーアクセスフロアに用いられるフロアパネルにおいて、
前記箱部材は、その下面を形成する底板部と、前記底板部の周縁部から上方に向かって伸びる側板部を有し、
前記箱部材の前記下面の四隅部に、前記下面の他の部分より前記天板と反対側に突出する平面形状が概略四辺形状の突出部が一体的に形成され、
前記突出部における、前記支持脚の前記支持面の内側に配置される隅部と、前記隅部に隣接する２つの隣接辺部は、前記箱部材の前記側板部を前記天板と反対側に延長して、前記側板部の外側面が前記箱部材の高さ方向に連続するように形成され、
前記隅部と２つの前記隣接辺部のそれぞれと前記箱部材の高さ方向に連続する前記側板部の外側面は、それ以外の前記側板部の外側面よりも前記箱部材の平面方向内側に引っ込んだ位置に形成されたことを特徴とするものである。
【００２６】
また、本発明によるフロアパネルは、
前記突出部の突出先端面は、前記箱部材の下面の突出部以外の部分に対して略平行になるよう形成されたことを特徴とするものである。
【００２７】
また、本発明によるフロアパネルは、
前記突出部の概略四辺形状の四隅部のうちの２つの隅部が、前記箱部材の下面の対角線上に配置されるよう形成されたことを特徴とするものである。
【００２８】
また、本発明によるフロアパネルは、
前記天板と、前記箱部材の前記底板部の前記突出部以外の部分との間に補強部材を挟んで設けたことを特徴とするものである。
【発明の効果】
【００２９】
このような本発明のフロアパネルによれば、
天板と底板の互いの周縁部同士が結合してそれらの内部に空間が形成されると共に、前記底板の下面の四隅部を支持脚に支持されることにより基礎床面上の所定の高さ位置に配置されるフリーアクセスフロアに用いられるフロアパネルにおいて、
前記下面の四隅部に、前記下面の他の部分より前記天板と反対側に突出する概略四辺形状の突出部が形成されたことにより、
フロアパネルの変形を防止することができると共に、その重量化や高コスト化を防止することができる。
【図面の簡単な説明】
【００３０】
【図１】本発明の一実施の形態に係るフロアパネル２０の一部破断側面図である。
【図２】図１に示すフロアパネル２０の上面図である。
【図３】図１に示すフロアパネル２０の下面図である。
【図４】図５に示すフロアパネル２０のＣ−Ｃ線矢視の断面図である。
【図５】図３に示すフロアパネル２０の下面の隅部及びその近傍を拡大して示す部分拡大図である。
【図６】図１に示すフロアパネル２０と、このフロアパネル２０を支持する支持脚４とにより構成されたフリーアクセスフロア構造２１の斜視図である。
【図７】図６に示すフリーアクセスフロア構造２１のＤ−Ｄ線矢視の断面図である。
【図８】図７に示すフリーアクセスフロア構造２１のＥ−Ｅ線矢視の一部断面下面図である。
【図９】従来のフロアパネル２と、このフロアパネル２を支持する支持脚４とにより構成されたフリーアクセスフロア構造１の斜視図である。
【図１０】図９に示すフリーアクセスフロア構造１のＡ−Ａ線矢視の断面図である。
【図１１】図９に示すフロアパネル２の上面図である。
【図１２】図９に示すフロアパネル２の下面図である。
【図１３】図９に示すフロアパネル２の一部破断側面図である。
【図１４】図１２に示すフロアパネル２のＢ−Ｂ線矢視の断面図である。
【発明を実施するための形態】
【００３１】
以下、本発明に係るフロアパネルを実施するための形態について、図面に基づいて具体的に説明する。
【００３２】
図１から図８は、本発明の一実施の形態に係るフロアパネル２０について説明するために参照する図である。これらの図に示すフロアパネル２０は、前記従来のフロアパネル２と同様の部分には同じ符号を付して説明し、従来と同様の構成についての重複する説明は、その一部を除き省略するものとする。
【００３３】
本実施の形態は、図１に示すフロアパネル２０の右端部に示すように、天板２２と底板２４（箱部材）との互いの周縁部同士が溶接やカシメ等によって接合（結合）されることにより、天板２２と底板２４は一体的に形成されている。これらの天板２２と底板２４には、共に鋼板材が用いられている。
【００３４】
図２に示すように、フロアパネル２０の天板２２は、その平面形状が略正方形に形成され、所定の厚さを有している。そして、天板２２の四隅部には、その平面形状が円形状を４分割したような円弧状のテーパ部２２ｂと、円弧状の段差部２２ａが形成されるようになっている。
【００３５】
この天板２２のテーパ部２２ｂは、図２に示す天板２２の隅部を、図４に示すように、図中左下方に向かって折り曲げることにより傾斜するように形成されている。
【００３６】
また、天板２２の段差部２２ａは、上記テーパ部２２ｂの先端部に折り曲げて形成されると共に、上面２２ｃを有する天板２２と連続して形成され、この上面２２ｃと平行になる上面を有するように形成されている。
【００３７】
このようなテーパ部２２ｂと段差部２２ａは、金型を用いたプレス加工により同時に成形することができる。
【００３８】
図１、図４に示すように、フロアパネル２０の底板２４は、その底板部２４ａの周縁部を図中上方に向かって略垂直に折り曲げることにより側板部２４ｂが形成されており、この側板部２４ｂの上端部を図中水平方向外側に向かって略垂直に折り曲げることにより、フランジ部２４ｃ（周縁部）が形成されている。
【００３９】
したがって、フロアパネル２０の底板２４は、その上方のフランジ部２４ｃの内側に開口した内部空間を有する箱状に形成されている。底板２４のフランジ部２４ｃは、図４に示すように、天板２２の下面２２ｄの周縁部２２ｅに当接し、これらの当接部分は溶接やカシメ等により互いに接合されるようになっている。
【００４０】
図４に示すフロアパネル２０の隅部以外の４つの辺部においても同様に、それらのフランジ部２４ｃと天板２２の下面２２ｄの周縁部２２ｅとの当接部分が溶接やカシメ等により互いに接合されるようになっている。
【００４１】
このため、図１、図４に示すように、フロアパネル２０は、天板２２と、底板２４の底板部２４ａと側板部２４ｂにより内部に構成された、内部空間２６を有する中空状に形成されるようになっている。
【００４２】
図３に示すように、フロアパネル２０は、その底板２４の下面２４ｄの四隅部に、この四隅部以外の部分の下面２４ｄよりも図中紙面手前側（図１中下方）に突出する、概略四辺形状に形成された張出し部２４ｅ（突出部）が形成されている。この張出し部２４ｅは、プレス加工による底板２４の成形時に同時に形成されるようになっている。
【００４３】
すなわち、底板２４の張出し部２４ｅは、図５に示すように、その平面形状が４つの隅部２４ｆ，２４ｇ，２４ｈ，２４ｉを有する概略四辺形状に形成されている。そして、図４に示すように、底板２４の張出し部２４ｅには、底板２４の下面２４ｄの張出し部２４ｅ以外の部分に平行な張出し面２４ｏ（突出先端面）が形成されるようになっている。
【００４４】
また、図５に示す張出し部２４ｅの隅部２４ｆと，この隅部２４ｆに隣接する２つの隣接辺部２４ｍ，２４ｎは、図４に示すように、底板２４の側板部２４ｂを図中下側に延長するように側板部２４ｂの平面が高さ方向に連続して形成されている。
【００４５】
そして、図５に示すように、底板２４の隅部２４ｆ及び隣接辺部２４ｍ，２４ｎは、それ以外の側板部２４ｂの外側面２４ｊ，２４ｋよりも、底板２４の平面方向内側に少し引っ込んだ状態に形成されるようになっている。
【００４６】
このため、底板２４の張出し部２４ｅの隅部２４ｆと２つの隣接辺部２４ｍ，２４ｎは、図７に示すように、パネル調整台１４上端側の外周部１４ｃから離れる方向に少し引っ込んでいて、その外周部１４ｃと干渉しないような外形に形成されている。
【００４７】
また、図３に示すように、底板２４の張出し部２４ｅの２つの隅部２４ｇ，２４ｈは、側板部２４ｂの外側面２４ｊ，２４ｋそれぞれに連続するように形成されており、張出し部２４ｅの隅部２４ｉは、底板２４の平面方向中央側に配置され、底板２４の互いに対向する隅部（隅部２４ｆに相当する）同士を結ぶ対角線上に配置されるようになっている。
【００４８】
フロアパネル２０の内部空間２６には、図１，４に示すように、平板状の補強部材２８が配置されている。この補強部材２８には、木材を小さな木片に砕いて乾燥させ、接着材を加えて高温高圧の下で成形したパーティクルボードが用いられている。
【００４９】
そして、補強部材２８の厚さ方向（図１，４中上下方向）の両端面は、天板２２の下面２２ｄと、底板２４の張出し部２４ｅ以外の部分の上面それぞれとの間に、接着剤を介して接着により固定されている。
【００５０】
また、補強部材２８は、加工を容易にするためにその平面方向の寸法精度は低くすることができるので、フロアパネル２０は、図４に示すように、補強部材２８の側面と底板２４の側板部２４ｂとの間に隙間Ｓが形成されるようになっている。
【００５１】
図２，３に示すように、互いに接合された天板２２と底板２４の周縁部の外形には、凹部２５が形成されているので、図８に示すように、互いに隣り合うフロアパネル２０同士の側部同士が対向したときには、それらの凹部２５が同じ位置で対向して開口部２７を形成するようになっている。このため、この開口部２７に配線などを通線させることができるようになっている。
【００５２】
フロアパネル２０は、図６に示すように、支持脚４と共に、フリーアクセスフロア構造２１を構成するようになっている。
【００５３】
図７に示すように、支持脚４のパネル調整台１４は、その支持面１４ａ上にフロアパネル２０の張出し部２４ｅの張出し面２４ｏが載置されて、この張出し部２４ｅを介してフロアパネル２０の上方から加えられた荷重を支持するようになっている。
【００５４】
そして、固定皿ボルト１７のオネジ部１７ｂを、パネル調整台１４上端側軸線部のネジ孔１４ｄに締め付けて、フロアパネル２０の段差部２２ａが皿頭部１７ａにより、パネル調整台１４の先端凹部１４ｂに押え付けられて固定されるようになっている。
【００５５】
このことにより、隣り合う複数の段差部２２ａを１箇所に寄せ集めて突き合わせるように配置された複数のフロアパネル２０が、１つの同じパネル調整台１４の先端凹部１４ｂに共に固定されるようになっている。
【００５６】
このとき、フロアパネル２０の底板２４の張出し部２４ｅは、図８に示すように、その隅部２４ｆがパネル調整台１４の支持面１４ａの半径方向内側に配置され、隅部２４ｆ以外の３つの隅部２４ｇ，２４ｈ，２４ｉはその支持面１４ａの半径方向外側に配置されるようになっている。
【００５７】
そして、フロアパネル２０の底板２４の張出し部２４ｅは、図７に示すように、その張出し面２４ｏが支持脚４のパネル調整台１４の支持面１４ａと接触するようになっているため、例えば、底板２４の下面２４ｄにその断面が凹凸状のリブを設けて、そのリブをパネル調整台１４の支持面１４ａに接触させるような場合に比べて、その接触面積が大きなものになっている。
【００５８】
このため、フロアパネル２０は、その上方から加えられた荷重により張出し部２４ｅに発生する応力をその大きな接触面積により分散させることができるので、その強度を向上させてその変形を防止することができる。
【００５９】
また、フロアパネル２０は、図３に示すように、その底板２４の底板部２４ａの四隅部に、４つの張出し部２４ｅが形成されていることにより、その底板部２４ａの１辺の両端部の一対の張出し部２４ｅ間の辺の長さや、対角線上の互いに対向する一対の張出し部２４ｅの、一対の隅部２４ｉ間の長さが短くなっている。
【００６０】
このため、その底板部２４ａの剛性を向上させることができて、フロアパネル２０の上方から加えられた荷重に対して撓み難くなっている。
【００６１】
また、本実施の形態に係るフロアパネル２０は、その内部空間２６に平板状の補強部材２８が配置されていることにより、フロアパネル２０の強度を向上させてその変形を防止することができる。
【００６２】
したがって、フロアパネル２０は、その上方から荷重が加えられた際に、その底板部２４ａの張出し部２４ｅがパネル調整台１４の支持面１４ａの反力により変形することを防止することができて、その強度を向上させることができる。
【００６３】
また、フロアパネル２０は、その強度が必要となる底板２４の張出し部２４ｅのみに対応するその厚さを厚くすることにより、底板２４の張出し部２４ｅ以外の部分に対応するその厚さを薄くすることができる。したがって、フロアパネル２０の内部の補強部材２８も薄くすることができるため、フロアパネル２０の重量化や高コスト化を防止することができる。
【００６４】
以上説明したように、このような本実施の形態に係るフロアパネル２０によれば、その強度を向上させてその変形を防止することができると共に、その重量化や高コスト化を防止することができる。
【００６５】
なお、前記実施の形態に係るフロアパネル２０は、その内部空間２６にパーティクルボードを用いた平板状の補強部材２８が配置されていたが、その内部空間２６にはパーティクルボード以外の他の補強部材が配置されるようになっていてもよい。
【００６６】
また、前記実施の形態に係るフロアパネル２０は、その側面部に凹部２５形成して、この凹部２５が対向してできた開口部２７に配線などを通線させるようになっていたが、配線などを通線させないときは、その開口部２７を塞ぐ着脱可能な蓋部が設けられるようになっていてもよい。
【００６７】
また、図６，８においては、説明の便宜上、１つの支持脚４が３枚のフロアパネル２０それぞれの隅部を支持する場合について示してあるが、１つの支持脚４は４枚のフロアパネル２０の隅部を支持することができることはいうまでもなく、それが本来の支持脚４の使い方である。
【符号の説明】
【００６８】
１  フリーアクセスフロア構造
２  フロアパネル
３  基礎床面
４  支持脚
６  天板
６ａ  段差部
６ｂ  テーパ部
６ｃ  上面
６ｄ  下面
６ｅ  周縁部
８  底板
８ａ  底板部
８ｂ  側板部
８ｃ  フランジ部
８ｄ  底面
１０  内部空間
１２  補強部材
１４  パネル調整台
１４ａ  支持面
１４ｂ  先端凹部
１４ｃ  外周部
１４ｄ，１４ｅ，１４ｆ  ネジ孔
１５  固定ネジ部材
１６  脚部
１６ａ  オネジ部
１７  固定皿ボルト
１７ａ  皿頭部
１７ｂ  オネジ部
２０  フロアパネル
２１  フリーアクセスフロア構造
２２  天板
２２ａ  段差部
２２ｂ  テーパ部
２２ｃ  上面
２２ｄ  下面
２２ｅ  周縁部
２４  底板
２４ａ  底板部
２４ｂ  側板部
２４ｃ  フランジ部
２４ｄ  下面
２４ｅ  張出し部
２４ｆ，２４ｇ，２４ｈ，２４ｉ  隅部
２４ｊ，２４ｋ  外側面
２４ｍ，２４ｎ  隣接辺部
２４ｏ  張出し面
２５  凹部
２６  内部空間
２７  開口部
２８  補強部材
Ｓ  隙間
【図１】
0005909065.tif 000002
【図２】
0005909065.tif 000003
【図３】
0005909065.tif 000004
【図４】
0005909065.tif 000005
【図５】
0005909065.tif 000006
【図６】
0005909065.tif 000007
【図７】
0005909065.tif 000008
【図８】
0005909065.tif 000009
【図９】
0005909065.tif 000010
【図１０】
0005909065.tif 000011
【図１１】
0005909065.tif 000012
【図１２】
0005909065.tif 000013
【図１３】
0005909065.tif 000014
【図１４】
0005909065.tif 000015